(57)【要約】【課題】切子がワイパーチップ側面と切断面との間に噛み込むことを抑制可能な木材切断用の丸鋸を提供することである。【解決手段】丸鋸であって、回転軸回りに駆動されるように適合した環状ディスク形状ベースと、前記ベースの外周縁に該ベースと一体的に形成され、間にガレットを画成する複数のチップサポートと、前記各チップサポートに固定された複数のチップインサートと、実質上同一円周上で且つ円周方向に等間隔離間して前記ベースに形成された複数の開口と、前記各開口を画成する前記ベースの回転方向下流側の壁面に固定された複数のワイパーチップとを具備し、前記ワイパーチップの前面の横断面は曲面形状に形成されている。【選択図】図４
2006305863.tif 000002
【特許請求の範囲】
【請求項１】
回転軸回りに駆動されるように適合した環状ディスク形状ベースと、
前記ベースの外周縁に該ベースと一体的に形成され、間にガレットを画成する複数のチップサポートと、
前記各チップサポートに固定された複数のチップインサートと、
実質上同一円周上で且つ円周方向に等間隔離間して前記ベースに形成された複数の開口と、
前記各開口を画成する前記ベースの回転方向下流側の壁面に固定された複数のワイパーチップとを具備し、
前記各ワイパーチップの前面の横断面は曲面形状をしていることを特徴とする丸鋸。
【請求項２】
それぞれガレットの底部に開口し円周方向に等間隔離間して形成された複数の膨張スリットと、
前記複数の膨張スリットの全て又は選択された膨張スリットを画成する前記ベースの回転方向下流側の壁面に固定された複数の第２ワイパーチップとを更に具備し、
前記各第２ワイパーチップの前面の横断面は曲面形状をしていることを特徴とする請求項１記載の丸鋸。
【発明の詳細な説明】
【技術分野】
【０００１】
本発明は一般的に丸鋸又はディスクカッターに関し、特に、木材又は木材パネルを切断するのに適した丸鋸に関する。
【背景技術】
【０００２】
外周部に複数のチップサポートを有し、各チップサポートに硬化された切断チップインサート（カッターインサート）が蝋付け等により固定されたベースディスクから構成される丸鋸又はディスクカッターが木材の切断等によく使用される。
【０００３】
ベースディスク又は環状ディスク形状ベースは、その外周に円周方向に所定間隔で離間された複数のチップサポートを有しており、各チップサポートの間にはガレットが画成されている。
【０００４】
各チップサポートはリセスを有しており、このリセス中に硬化されたチップインサートが蝋付け等により固定される。ベースディスクはその中心部に装着穴を有しており、この装着穴に回転工具の回転シャフトを挿入して、ボルトにより丸鋸を回転シャフトに締め付けることにより、丸鋸が回転工具に装着される。
【０００５】
特に木材パネルに穴を開けるための丸鋸又は製材用の丸鋸では、切断面により丸鋸が締め付けられるのを防止するためベースディスクの半径方向中程にワイパーチップが設けられている。
【０００６】
即ち、ベースディスクの半径方向中程に円周方向に等間隔離間した複数の開口を形成し、各開口を画成するベースディスクの回転方向下流側の壁面にワイパーチップが蝋付け等により固定されている。
【０００７】
このようなワイパーチップにより切断作業中に切断面を薄く削りとることにより、丸鋸が切断面により両側から締め付けられるのが防止され、スムーズな切断を達成することができる。
【発明の開示】
【発明が解決しようとする課題】
【０００８】
しかし、従来の木材パネル穴開け用又は製材用の丸鋸では、ワイパーチップの前面が平面形状をしていたため、切断中に木材の切子がワイパーチップの前面により跳ね飛ばされて、この切子がワイパーチップ側面と切断面の隙間に入り込み、切子の噛み込みによりベースディスクが締め付けられる恐れがあるという問題があった。
【０００９】
本発明はこのような点に鑑みてなされたものであり、その目的とするところは、切子の噛み込みを効果的に防止するようにした丸鋸を提供することである。
【課題を解決するための手段】
【００１０】
本発明によると、回転軸回りに駆動されるように適合した環状ディスク形状ベースと、前記ベースの外周縁に該ベースと一体的に形成され、間にガレットを画成する複数のチップサポートと、前記各チップサポートに固定された複数のチップインサートと、実質上同一円周上で且つ円周方向に等間隔離間して前記ベースに形成された複数の開口と、前記各開口を画成する前記ベースの回転方向下流側の壁面に固定された複数のワイパーチップとを具備し、前記各ワイパーチップの前面の横断面は曲面形状をしていることを特徴とする丸鋸が提供される。
【００１１】
好ましくは複数のチップインサートは複数組の組チップインサートから構成され、各組チップインサートは、互いに反対向きに傾斜した先端傾き角及び横すくい角を有する少なくとも一対の傾斜チップインサートと、一個の平チップインサートを含んでいる。
【００１２】
更に好ましくは、丸鋸はそれぞれガレットの底部に開口し円周方向に等間隔で離間された複数の膨張スリットと、複数の膨張スリットの全て又は選択された膨張スリットを画成するベースの回転方向下流側の壁面に固定された複数の第２ワイパーチップを更に具備しており、各第２ワイパーチップの前面の横断面は曲面形状に形成されている。
【発明の効果】
【００１３】
本発明によると、ワイパーチップの前面の横断面が曲面形状しているため、切子はワイパーチップの前面により開口内に集められ、切子の飛散が抑制される。その結果、切子がワイパーチップ側面と切断面の間の隙間に噛み込むことが抑制され、スムーズな切断が可能となる。
【発明を実施するための最良の形態】
【００１４】
図１を参照すると、本発明第１実施形態の丸鋸又はディスクカッター２の側面図が示されている。丸鋸２は２×４の木材パネルからなる壁の穴開けに特に適している。
【００１５】
丸鋸２は、板厚約１．６ｍｍの環状ディスク形状ベース（ベースディスク）４の外周に複数個（例えば２４個）の鋸歯状チップサポート８が円周方向に等ピッチ間隔で形成されている。隣接するチップサポート８の間にはガレット９が画成されている。
【００１６】
ベースディスク４はＪＩＳ規格ＳＫＳ５（合金工具鋼）、ＪＩＳ規格ＳＫ５（炭素工具鋼）、またはＪＩＳ規格ＳＫ６（炭素工具鋼）等の鋼から形成されている。ベースディスク４の直径は、例えば１８５ｍｍ、中心穴６の直径は約１６ｍｍであるが、本発明の丸鋸はこれらの数値に限定されるものではない。
【００１７】
図２の拡大図に示すように、各チップサポート８にはリセス１０が形成されており、これらのリセス１０中にチップインサート１２が蝋付け等により固着されている。チップインサート１２はＷＣ粉末とＣｏ粉末の焼結超硬合金から形成されている。
【００１８】
ベースディスク４の半径方向中程の実質上同一円周上で、且つ円周方向に等間隔離間して一対の開口１４が形成されている。各開口１４を画成するベースディスク４の回転方向下流側の壁面１４ａにはワイパーチップ１６が蝋付け等により固着されている。
【００１９】
図２及び図３に示されるように、各チップサポート１２は例えば先端逃げ角が１２°の逃げ面１２ａと、第１すくい角が例えば５°の第１すくい面１２ｂと、第２すくい角が例えば１０°の第２すくい面１２ｃを有している。更に、図３に示されるように、逃げ面１２ａは例えば半径３ｍｍの曲面に加工されている。
【００２０】
ワイパーチップ１６は、チップインサート１２と同様に、例えばＷＣ粉末とＣｏ粉末の焼結超硬合金から形成されている。図１のＢ−Ｂ線断面図の図４に示すように、ワイパーチップ１６は横断面が曲面形状の前面１６ａと、同じく曲面形状の側面１６ｂ，１６ｃを有している。前面１６ａの曲率半径は例えば３ｍｍ、側面１６ｂ，１６ｃの曲率半径は例えば５０ｍｍである。ワイパーチップ１６の先端厚さｔ１は約２．２ｍｍである。
【００２１】
ワイパーチップ１６の前面１６ａの曲面加工は、ワイパーチップ１６を壁面１４ａに蝋付けする前に行うことが望ましく、側面１６ｂ，１６ｃの曲面加工はワイパーチップ１６を壁面１４ａに蝋付けした後に行うようにする。
【００２２】
更に、本実施形態の丸鋸２は、各開口１４から円周方向に９０°離間して半径方向に伸長し、ガレット９の底部に開口する一対の膨張スリット１８を有している。これらの膨張スリット１８は切断作業時に丸鋸２が加熱されて変形するが、この変形を吸収するために設けられている。
【００２３】
本実施形態の丸鋸２は、装着穴６に回転工具の回転シャフトを挿入して、ボルトにより丸鋸２を回転シャフトに締め付けることにより、回転工具に装着される。丸鋸２は矢印Ｒ方向に回転され、例えば２×４の木材パネルから形成される壁の穴開けに使用される。
【００２４】
本実施形態の丸鋸２では、ワイパーチップ１６により切断面を薄く削り取ることができるため、残留応力等に起因する切断面による丸鋸の締め付けを抑制することができる。さらに、図４に示すようにワイパーチップ１６の前面１６ａが曲面形状に形成されているため、ワイパーチップ１６の先端エッジ１７が鋭くなり切削性能が向上するとともに、切子が開口１４中に効率良く集められその飛散が抑制される。
【００２５】
よって、飛散した切子が丸鋸２のワイパーチップ１６の側面と切断面との間に噛み込むことが抑制され、切子の噛み込みに起因する丸鋸の抵抗増加を防止することができる。
【００２６】
図５を参照すると、本発明第２実施形態の丸鋸２２の側面図が示されている。丸鋸２２は例えば製材用のギャングソーとして使用される。丸鋸２２は、板厚約２．２ｍｍの環状ディスク形状ベース（ベースディスク）２４の外周に複数個（例えば１８個）の鋸歯状チップサポート２８が円周方向に等ピッチ間隔で形成されている。隣接するチップサポート２８の間にはガレット２９が画成されている。
【００２７】
ベースディスク２４はＪＩＳ規格ＳＫＳ５（合金工具鋼）、ＪＩＳ規格ＳＫ５（炭素工具鋼）、又はＪＩＳ規格ＳＫ６（炭素工具鋼）等の鋼から形成されている。ベースディスク２４の直径は、例えば約３８５ｍｍ、中心穴２６の直径は約９０ｍｍであるが、本発明の丸鋸はこれらの数値に限定されるものではない。
【００２８】
各チップサポート２８に形成されたリセス（図示せず）中に３つのチップインサートで一組を構成する組チップインサートが多数組固着されている。各組チップインサートは、平チップインサート３０と、第１傾斜チップインサート３２と、第２傾斜チップインサート３４から構成される。
【００２９】
図７（Ａ）は図６のＡ−Ａ線断面図、図７（Ｂ）は図６のＢ−Ｂ線断面図、図７（Ｃ）は図６のＣ−Ｃ線断面図である。図７に示すように、各組チップインサートの第１、第２傾斜チップインサート３２，３４は、先端傾斜角θ１が互いに反対向きに傾斜している。θ１は例えば５°である。
【００３０】
更に、図６のＤ方向矢視図である図８に示すように、各組チップインサートの第１、第２傾斜チップインサート３２，３４は横すくい角θ２が互いに反対向きに傾斜している。横すくい角θ２は例えば５°である。
【００３１】
更に、平チップインサート３０の先端は第１、第２傾斜チップインサート３２，３４の先端よりも約０．２ｍｍ低くなるように設定されている。各チップインサート３０，３２，３４の刃先厚さは約３．２ｍｍである。
【００３２】
ベースディスク２４の半径方向中程の実質上同一円周上で、且つ円周方向に１２０°離間して３個の開口３６が形成されている。各開口３６を画成するベースディスク２４の回転方向下流側の壁面３６ａには第１ワイパーチップ３８が蝋付け等により固着されている。
【００３３】
第１ワイパーチップ３８は、組チップインサート３０，３２，３４と同様に、ＷＣ粉末とＣｏ粉末の焼結超硬合金から形成される。図５のＥ−Ｅ線断面図である図９に示すように、第１ワイパーチップ３８は横断面が曲面形状の前面３８ａと、同じく曲面形状の側面３８ｂ，３８ｃを有している。
【００３４】
好ましくは、ワイパーチップ３８の前面３８ａの曲面加工は、ワイパーチップ３８を壁面３６ａに蝋付けする前に実施され、側面３８ｂ，３８ｃの曲面加工はワイパーチップ３８を壁面３６ａに蝋付けした後に実施される。
【００３５】
ワイパーチップ３８の前面３８ａの曲率半径は例えば５ｍｍであり、側面３８ｂ，３８ｃの曲率半径は例えば６０ｍｍである。また、ワイパーチップ３８の先端厚さｔ２は約２．６ｍｍである。
【００３６】
再び図５を参照すると、開口３６と実質上同一円周上には、各開口３６から円周方向に６０°離間して３個の開口４０が形成されている。これらの開口４０は温度上昇による丸鋸２２のベースディスク２４の変形を吸収する。
【００３７】
丸鋸２２は更に、互いに円周方向に６０°離間して半径方向から約１０°傾いて伸長し、ガレット２９の底部に開口する６個の膨張スリット４２を有している。これらの膨張スリット４２は、温度上昇によるベースディスク２４の変形を吸収する。
【００３８】
６個の膨張スリット４２の内一つおきの膨張スリット４２を画成するベースディスク２４の回転方向下流側の壁面には、第２ワイパーチップ４４が蝋付け等により固着されている。
【００３９】
第２ワイパーチップ４４は第１ワイパーチップ３８と同一の焼結超硬合金から形成され、その断面形状は図９に示す第１ワイパーチップ３８の断面形状と同様である。膨張スリット４２の全てに第２ワイパーチップ４４を固着するようにしてもよい。
【００４０】
本実施形態の丸鋸２２は矢印Ｒ方向に回転駆動される。この丸鋸２２は、丸鋸２２を複数並列に回転工具に取り付け、木材製材用のギャングソーとして使用するのに適している。
【００４１】
本実施形態の丸鋸２２で木材を切断すると、第１及び第２ワイパーチップ３８，４４が切断面を薄く削り取るため、切断面が締まって丸鋸２２の回転が阻害されることが防止される。
【００４２】
更に、第１ワイパーチップ３８の前面３８ａ及び第２ワイパーチップ４４の前面はそれぞれ曲面加工されているため、切子は効率的に開口３６内又は膨張スリット４２内に集められ、切子が飛散して丸鋸２２の第１、第２ワイパーチップ３８，４４の側面と切断面との間に噛み込むことが抑制され、切子詰まりにより丸鋸２２の回転にブレーキが掛けられることが抑制される。
【図面の簡単な説明】
【００４３】
【図１】本発明第１実施形態の丸鋸の側面図である。
【図２】第１実施形態の丸鋸のチップインサート部分の拡大図である。
【図３】図２のＡ−Ａ線断面図である。
【図４】図１のＢ−Ｂ線断面図である。
【図５】本発明第２実施形態の丸鋸の側面図である。
【図６】第２実施形態の丸鋸のチップインサート部分の拡大図である。
【図７】図７（Ａ）は図６のＡ−Ａ線断面図、図７（Ｂ）は図６のＢ−Ｂ線断面図、図７（Ｃ）は図６のＣ−Ｃ線断面図である。
【図８】図６のＤ方向矢視図である。
【図９】図５のＥ−Ｅ線断面図である。
【符号の説明】
【００４４】
２    丸鋸
４    ベースディスク
８    チップサポート
９    ガレット
１２    チップインサート
１４    開口
１６    ワイパーチップ
１８    膨張スリット
２２    丸鋸
２４    ベースディスク
２８    チップサポート
２９    ガレット
３０    平チップインサート
３２    第１傾斜チップインサート
３４    第２傾斜チップインサート
３６    開口
３８    第１ワイパーチップ
４２    膨張スリット
４４    第２ワイパーチップ
【図１】
2006305863.tif 000003
【図２】
2006305863.tif 000004
【図３】
2006305863.tif 000005
【図４】
2006305863.tif 000006
【図５】
2006305863.tif 000007
【図６】
2006305863.tif 000008
【図７】
2006305863.tif 000009
【図８】
2006305863.tif 000010
【図９】
2006305863.tif 000011